(57)【要約】【課題】既存の扇風機に取り付けるだけで扇風機を冷風機（冷風扇）に変えて冷たい風を送り、室温をエアコンの冷房設定温度よりも数℃下げて節電しながら快適に過ごすことができる、便利で経済的な扇風機用簡易冷風装置を提供する。【解決手段】扇風機１０の羽根１０ｂの前側に配置される通風自在な保水材１と、この保水材より高い位置に設置される貯水容器２と、この貯水容器に貯溜された水を保水材１に供給する給水チューブ３とを備えた扇風機用簡易冷風装置とする。この簡易冷風装置を扇風機１０に取り付けて保水材１を扇風機の羽根１０ａの直前に配置し、貯水容器２の内部の水を給水チューブ３を通じて保水材１に供給、浸透させながら扇風機の羽根１０ａを回して送風すると、保水材１に浸透して保持された水が保水材１を通過する風により気化して気化熱を奪うため、扇風機１０が冷風機（冷風扇）として働き、周囲の温度を数℃下げることができる。【選択図】図１
2013113200.tif 000002
【特許請求の範囲】
【請求項１】
扇風機の羽根の前側に配置される通風自在な保水材と、
前記保水材より高い位置に設置される貯水容器と、
前記貯水容器に貯溜された水を上記保水材に供給する給水チューブと、
を備えていることを特徴とする扇風機用簡易冷風装置。
【請求項２】
前記貯水容器が、扇風機のモーター収容ケースに取付けられた支持台の上に設置されること、を特徴とする請求項１に記載の扇風機用簡易冷風装置。
【請求項３】
前記保水材が、保水能力を有する通風自在な水浸透性の織布又は不織布であること、を特徴とする請求項１又は２に記載の扇風機用簡易冷風装置。
【請求項４】
前記給水チューブに給水量調節具が設けられていること、を特徴とする請求項１〜３のうちのいずれかに記載の扇風機用簡易冷風装置。
【請求項５】
前記給水チューブの先端と前記保水材が水浸透性の繊維集合塊を介して接続されていることを特徴とする請求項１〜４のうちのいずれかに記載の扇風機用簡易冷風装置。
【請求項６】
前記保水材の下方に、落下する水滴を受ける受水部材が設けられていることを特徴とする請求項１〜５のうちのいずれかに記載の扇風機用簡易冷風装置。
【発明の詳細な説明】
【技術分野】
【０００１】
本発明は、既存の扇風機に取付けるだけで冷たい風を送ることができる扇風機用簡易冷風装置に関する。
【背景技術】
【０００２】
東日本大震災による原発事故等の影響で、昨今は電力供給が危機的な状況にあり、また、地球温暖化その他の環境問題の観点からも、節電の必要性が指摘されているが、我が国は温暖化の影響で亜熱帯の様相を強め、夏季はエアコンによる冷房なしでは過ごしにくいのが実情であり、快適に過ごすためにエアコンの冷房温度を低く設定すると、電力消費量が増大して節電の要請に反することになる。
【０００３】
そこで、エアコンの冷房温度を２８℃以上と高く設定して節電しながら快適に過ごす方法として、エアコンと冷風機（冷風扇）を併用することが考えられ、また、湿度に注意をして冷風機を単独で使用することも有効と考えられる。
【０００４】
ここで、従来の冷風機（冷風扇）として、例えば図５に示すように、本体ケース１０１の内部に、水を貯溜する水タンク１０２と、本体ケースの取入口１０１ａから取り入れた空気を吹出口１０１ｂから吹き出すファン１０３を設けると共に、本体ケース１０１内における空気の流れ方向と交差する位置に水フィルタ１０４を設け、この水フィルタ１０４の上流側に前記水タンク１０１内の水を噴霧させる超音波噴霧装置１０５を設けたものが知られている（特許文献１）。
【０００５】
ところが、このような冷風機は扇風機に比べると高価であり、必要性もあまり高くないことから、扇風機は持っていても冷風機まで持っている家庭は少ないのが現状である。そのため、冷風機を新たに購入し、上記のようにクーラーと冷風機を併用したり冷風機を単独使用したりして節電するのは、経済的な負担が大きく実行し辛いという問題があった。
【先行技術文献】
【特許文献】
【０００６】
【特許文献１】実開平６−３２９２１号公報
【発明の概要】
【発明が解決しようとする課題】
【０００７】
本発明は上記の問題に対処すべくなされたもので、その解決しようとする課題は、既存の扇風機に取り付けるだけで扇風機を冷風機（冷風扇）に変えて冷たい風を送り、室温をエアコンの冷房設定温度よりも数℃下げて節電しながら快適に過ごすことができる、便利で経済的な扇風機用簡易冷風装置を提供することにある。
【課題を解決するための手段】
【０００８】
上記課題を解決するため、本発明に係る扇風機用簡易冷風装置は、扇風機の羽根の前側の部分（即ち、回転する羽根から送風される風と、その風を受け得る何らかの対象物と、の間に位置する部分）に配置される通風自在な保水材と、この保水材より高い位置に設置される貯水容器と、この貯水容器に貯溜された水を上記保水材に供給する給水チューブと、を備えていることを特徴とするものである。
【０００９】
本発明の扇風機用簡易冷風装置においては、前記貯水容器が、扇風機のモーター収容ケースに取付けられた支持台の上に設置されることが好ましい。そして、前記保水材は、保水能力を有する通風自在な水浸透性の織布又は不織布であること好ましい。また、前記給水チューブには、給水量調節具を設けることが好ましく、この給水チューブの先端と前記保水材は、水浸透性の繊維集合塊を介して接続されていることが好ましい。更に、前記保水材の下方には、落下する水滴を受ける受水部材を設けることが好ましい。
【発明の効果】
【００１０】
本発明の扇風機用簡易冷風装置（以下、簡易冷風装置という）を既存の扇風機に取り付けて保水材を扇風機の羽根の前側の部分に配置し、保水材より高い位置に設置した貯水容器の内部の水を給水チューブを通じて保水材に供給、浸透させながら扇風機の羽根をモータで回して送風すると、保水材に浸透して保持された水が保水材を通過する風により気化して気化熱を奪うため、既存の扇風機が冷風機（冷風扇）として働き、周囲の温度を数℃ほど下げることができる。
【００１１】
従って、本発明の簡易冷風装置を取り付けた既存の扇風機とエアコンを併用すると、エアコンの冷房温度を２８℃以上と高く設定して節電しても、周囲の温度はエアコンの設定温度より数℃ほど低くなるので、快適に過ごすことが可能となる。このようにエアコンを併用すると、室内がエアコンによって除湿されるため、湿度上昇により黴が発生するおそれを解消することも可能となる。
【００１２】
本発明の簡易冷風装置を取り付けた既存の扇風機は、冷風機として単独使用してももちろんよいが、その場合は、室内の湿度が高くなり過ぎないように、一定時間ごとに日陰の比較的冷たい外気を導入して室内を換気することが望ましい。
【００１３】
扇風機のモーター収容ケースに取付けられた支持台の上に貯水容器が設置される簡易冷風装置は、扇風機の周囲に貯水容器の設置スペースを確保する必要がないため省スペース化を図ることができ、体裁も良好である。
【００１４】
そして、保水材として保水能力を有する通風自在な水浸透性の織布又は不織布を用いた簡易冷風装置は、織布又は不織布のほぼ全体に水が浸透して保持され、この織布の織り目又は不織布の繊維間隙を通過する風によってすみやかに気化して多量の気化熱を奪うため、冷却効率が良好である。
【００１５】
また、給水チューブに給水量調節具を設けた簡易冷風装置は、保水材のほぼ全体に水が浸透して保持されるように、保水材への給水量を給水量調節具によって過不足なく調節することができ、この給水チューブの先端と保水材を水浸透性の繊維集合塊を介して接続した簡易冷風装置は、給水チューブの先端から水が漏れることなく、繊維集合塊の内部空隙を浸透して保水材に供給することができる。
【００１６】
更に、保水材の下方に、落下する水滴を受ける受水部材を設けた簡易冷風装置は、保水材に過剰量の水を供給した場合でも、保水材から落下する水が受水部材で受け止められるため、保水材の下方の床や畳が水浸しになるおそれはない。
【図面の簡単な説明】
【００１７】
【図１】扇風機に取り付けた本発明の一実施形態の簡易冷風装置を示す正面図である。
【図２】扇風機に取り付けた同実施形態の簡易冷風装置を示す背面図である。
【図３】扇風機に取り付けた同実施形態の簡易冷風装置を示す右側面図である。
【図４】受水部材を省略した同実施形態の簡易冷風装置の縦断面図である。
【図５】従来の冷風機（冷風扇）の説明図である。
【発明を実施するための形態】
【００１８】
以下、図面を参照して本発明の簡易冷風装置の代表的な実施形態について詳述する。ただし、本発明はこれに限定されるものではなく、また、以下の説明では、同一又は相当部分には同一符号を付し、重複する説明は省略することもある。また、図面は、本発明を概念的に説明するためのものであるから、理解容易のために、必要に応じて寸法、比又は数を誇張又は簡略化して表している場合もある。
【００１９】
図１、図２及び図３はそれぞれ扇風機に取り付けた本発明の一実施形態の簡易冷風装置を示す正面図、背面図、右側面図であり、図４は受水部材を省略した同実施形態の簡易冷風装置の縦断面図である。
【００２０】
図１〜図４に示すように、既存の扇風機１０に取り付けられる本発明の簡易冷風装置は、必須構成部材として、通風自在な保水材１、１と、貯水容器２と、給水チューブ３、３を具備したものである。
【００２１】
通風自在な保水材１、１は、図１及び図３に示すように、扇風機１０のフロントカバー１０ａに固定されて、扇風機１０の羽根１０ｂの前側の部分に配置されている。保水材１、１としては、保水能力を有する通風自在な水浸透性の織布や不織布が適しており、特に、保水能力が高く水浸透性に優れた親水性有機繊維からなる織布や不織布が好ましく使用される。保水材１、１は水を含んだ状態でも部分的に通風自在である場合もある。メッシュ状であってもガーゼ状であってもよい。目付けは本発明の効果を損なわない範囲で適宜選択する。
【００２２】
本実施形態の簡易冷風装置では、左右一対の矩形状乃至は帯状の保水材１、１をフロントカバー１０ａに貼り付けて羽根１０ｂの前側の部分に配置しているが、保水材の形状や個数は任意であり、例えば、フロントカバー１０ａの全面を覆う円形状や格子状の保水材を一つだけ（又は複数）羽根１０ｂの前側の部分に配置してもよい。羽根１０ｂからの送風をできるだけ妨げず、保水材１、１に含まれる水を効果的に気化させるという観点から、羽根１０ｂの前側が部分的に覆われるような形状の保水材１、１を用いるのが好ましい。
【００２３】
貯水容器２は水を貯溜する蓋付きの箱形容器であって、図４に示すように、蓋２ａにキャップ２ｂの付いた入水口２ｃを設けた透明ないし半透明のプラスチック製の容器が好ましく使用される。この貯水容器２は、容器内部の貯水量を外部から目視でき、貯水量が少なくなったらキャップ２ｂを外して入水口２ｃから簡単に水を補給できるからである。この貯水容器２の前側壁の下部には、図１及び図４に示すように左右一対の凹入部２ｄ、２ｄが形成されており、それぞれの凹入部２ｄに形成された出水口２ｅには、給水チューブ３の上端のキャップ３ａが水密的に差込み接続されている。
【００２４】
上記の貯水容器２は、図２及び図３に示すように、扇風機１０のモーター収容ケース１０ｃに取り付けられた支持台４の天板４ａの上に載置され、保水材１、１よりも高い位置に設置されている。この支持台４は、図２に示すように背面から見た形状が略Ｈ形の基台４ｂの上端に天板４ａを設けたもので、モーター収容ケース１０ｃを跨ぐように基台４ｂを載置し、左右のボルト４ｃ、４ｃでモーター収容ケース１０ｃの下側のネック部１０ｄを挟持することによって、脱落しないようにモーター収容ケース１０ｃに固定されている。
【００２５】
支持台４の基台４ｂの形状は略Ｈ形に限定されるものではなく、羽根１０ｂによって生じる背後から前方に向かう空気の流れを実質的に妨げない通風性の良好な形状であって、且つ、モーター収容ケース１０ｃに安定して取り付けられる形状であれば、どのような形状のものでもよい。
【００２６】
給水チューブ３、３は、貯水容器２の内部に貯溜された水を保水材１、１に供給するチューブであって、好ましくは３〜５ｍｍ程度、更に好ましくは４ｍｍ程度の内径を有する軟質合成樹脂又はゴム製の柔軟なチューブが使用される。前記のように、この給水チューブ３の上端のキャップ３ａは貯水容器２の出水口２ｅに水密的に差込み接続されており、給水チューブ３の下端は、図４に示すように水浸透性の繊維集合塊１ａを介して保水材１の上端部に接続されている。
【００２７】
そして、この繊維集合塊１ａは、保水材１の上端部に設けた不透水性のポケット１ｂに詰め込まれている（縫製や接着剤によって接続されていてもよく、ポケットが無くてもよい。）。従って、貯水容器２から給水チューブ３を通って流落する水は、給水チューブ３と保水材１との接合箇所からこぼれ落ちることなく、繊維集合塊１ａの内部空隙を浸透して保水材１に供給されるようになっている。
【００２８】
図４に示すように、この給水チューブ３には、いわゆるバルブ機能を有するような給水量調節具５が設けられ、供給された水が保水材１のほぼ全体に浸透して保持されるように、保水材１への給水量を過不足なく調節できるようになっている。
【００２９】
この給水量調節具５は、断面Ｕ字形の調節具本体５ａの左右の内面に傾斜溝５ｂを形成し、この傾斜溝５ｂに調節ローラ５ｃの軸を嵌め込んだものであって、調節ローラ５ｃを回転させながら傾斜溝５ｂに沿って一方向に移動させると、調節ローラ５ｃと調節具本体５ａの底面との間隔が漸減し、給水チューブ３が調節ローラ５ｃで押圧されて給水量が減少するようになっている。
【００３０】
そして、調節ローラ５ｃを回転させながら傾斜溝５ｂに沿って反対方向に移動させると、調節ローラ５ｃと調節具本体５ａの底面との間隔が漸増し、調節ローラ５ｃによる給水チューブ３の押圧が徐々に解除されて給水量が増すようになっている。
【００３１】
なお、給水量調節具は上記の給水量調節具５に限定されるものではなく、例えば、公知の流量調節弁などを給水チューブ３の途中に設けるようにしてもよい。また、給水量調節具５は省略してもよい。
【００３２】
更に、保水材１、１の下方には、図１及び図３に示すように、樋状の受水部材６がチェーン６ａ、６ａなどの吊り具で吊り下げられており、保水材１に過剰量の水を供給した場合でも、保水材１の下端から落下する水滴が受水部材６で受け止められるようになっている。
【００３３】
以上のような構成の簡易冷風装置を取り付けた既存の扇風機１０の羽根１０ｂを回して送風すると、貯水容器２から給水チューブ３、３を通じて保水材１、１に供給され、浸透、保持された水が、保水材１、１を通過する風により気化して気化熱を奪うため、既存の扇風機１０が冷風機（冷風扇）として働き、周囲の温度を数℃ほど下げることができる。
【００３４】
従って、この簡易冷風装置を取り付けた扇風機１０とエアコンを併用すると、エアコンの冷房温度を２８℃以上と高く設定して節電しても、周囲の温度はエアコンの設定温度より数℃ほど低くなるので、快適に過ごすことができる。このようにエアコンを併用すると、室内がエアコンによって除湿されるため、湿度上昇により黴が発生するおそれを解消することもできる。
【００３５】
保水材１、１への給水量は、実験した結果、２〜３ｃｃ／秒に調節することが好ましく、この程度の給水量であると、保水材１、１のほぼ全体に水が浸透して保水材１、１の下端から落下することなく保持され、１６０〜２４０ｃａｌ／秒（５７６〜８６４ｋｃａｌ／時）の気化熱を奪って周囲の温度を約３℃ほど下げることができる。なお、エアコンを併用すると室内は除湿されるが、扇風機を長時間、連続運転すると湿度が上昇するので、約３時間以上の連続運転は避けることが望ましい。
【００３６】
また、この簡易冷風装置を取り付けた扇風機は、冷風機として単独使用してももちろんよいが、その場合は、室内の湿度が高くなり過ぎないように、１〜２時間ごとに日陰の比較的冷たい外気を導入して室内を換気することが望ましい。
【００３７】
なお、貯水容器２は、扇風機１０の周辺の保水材１より高い箇所に設置してもよいが、この簡易冷風装置のように扇風機１０のモーター収容ケース１０ｃに取り付けられた支持台４の上に設置すると、扇風機１０の周囲に貯水容器２の設置スペースを確保する必要がなくなるため省スペース化を図ることができ、体裁も良くなる利点がある。また、貯水容器２の水に水溶性芳香剤を数滴たらせば、室内を良い香りで満たすことができる利点もある。
【００３８】
また、貯水容器２内の水には、抗菌剤や殺菌剤、除菌剤、アロマオイル等を添加してもよい。
【００３９】
以上、代表的な実施形態を挙げて本発明の簡易冷風装置を説明したが、本発明はこの実施形態のみに限定されるものではなく、特許請求の範囲を逸脱しない範囲内で種々の変更態様を許容し得るものであことは言うまでもない。
【符号の説明】
【００４０】
１・・・保水材、
１ａ・・・繊維集合塊、
２・・・貯水容器、
３・・・給水チューブ、
４・・・支持台、
５・・・給水量調節具、
６・・・受水部材、
１０・・・扇風機、
１０ｂ・・・羽根、
１０ｃ・・・モーター収容ケース。
【図１】
2013113200.tif 000003
【図２】
2013113200.tif 000004
【図３】
2013113200.tif 000005
【図４】
2013113200.tif 000006
【図５】
2013113200.tif 000007